(57)【要約】      （修正有）【課題】ツボに対して熱刺激を効率よく与えることができ、且つ、使用者が安心して使用できる温灸具、該温灸具を含む温灸キット及び温灸器を提供する。【解決手段】水蒸気を身体に放出することにより、身体に局部的な熱刺激を与える温灸具１であって、空気と接触することにより発熱と共に水蒸気を発生させる水蒸気発生組成物を扁平状袋内に封入してなるものであり、面積が２．０〜３０．０ｃｍ２である温灸具。【選択図】図１
2010207380.tif 000002
【特許請求の範囲】
【請求項１】
水蒸気を身体に放出することにより、身体に局部的な熱刺激を与える温灸具であって、空気と接触することにより発熱と共に水蒸気を発生させる水蒸気発生組成物を扁平状袋内に封入してなるものであり、面積が２．０〜３０．０ｃｍ２である温灸具。
【請求項２】
前記水蒸気発生組成物が封入された領域の面積が１．５〜１５．０ｃｍ２である請求項１に記載の温灸具。
【請求項３】
５０〜７０℃の水蒸気を発生させる請求項１又は２に記載の温灸具。
【請求項４】
前記扁平状袋が、水蒸気を身体に放出する側に、JIS K7129-1992のA法に準拠して測定された水蒸気透過度が１０００〜３０００ｇ／ｍ2・ｄａｙの透湿性シートが設けられたものである請求項１〜３のいずれかに記載の温灸具。
【請求項５】
前記透湿性シートが、５〜２０μｍの開口径を有する請求項４に記載の温灸具。
【請求項６】
前記透湿性シートの水蒸気を身体に放出する側に、透湿性接着層を有する請求項４又は５に記載の温灸具。
【請求項７】
１）請求項４〜６のいずれかに記載の温灸具と、２）該温灸具と身体との間に介在させて使用するための支持具とを備えた温灸キットであって、
該支持具が、水蒸気を身体に供給するための空洞部と、空気を前記透湿性シートに供給するための通気路とを有する温灸キット。
【請求項８】
前記空洞部の厚み方向の高さが０．１〜１ｃｍであり、前記空洞部の水蒸気の供給方向に直交する断面の面積が０．５〜３ｃｍ２である請求項７に記載の温灸キット。
【請求項９】
請求項４〜６のいずれかに記載の温灸具が、水蒸気を身体に供給するための空洞部と、空気を前記透湿性シートに供給するための通気路とを有する支持具上に積層されてなる温灸器。
【発明の詳細な説明】
【技術分野】
【０００１】
本発明は、身体のツボに熱刺激を与えるための温灸具に関する。
【背景技術】
【０００２】
従来から、肩こり、腰痛、神経痛等の治療にお灸が使用されている。身体に張り巡らされた経路上のツボにお灸を直接載せて、該ツボに熱刺激を与えることにより、前記治療が行われている。
【０００３】
従来からあるお灸としては、例えば、もぐさ温灸器等がある。もぐさ温灸器は、モグサを直接皮膚の患部（ツボ）に貼り付け、火をつけて燃焼させることによってツボに熱刺激を与える。
【０００４】
しかしながら、前記もぐさ温灸器は、皮膚に熱が強烈に伝わり、使用者がやけどの不安を伴う等、利用上の不便さが問題となっている。
【０００５】
火を使わないお灸もあるが、接触する皮膚の温度が４０℃程度にしかならず、ツボに十分な熱刺激を与えることができない。
【０００６】
ところで、身体のツボに熱を与える方法として、例えば、空気と接触することにより発熱する発熱組成物を用い、該組成物の発熱に伴って発生する水蒸気を皮膚に放出する方法が考えられる。例えば、特許文献１及び２には、金属粉、塩類及び水を含有し、金属粉の酸化に伴って水蒸気を放出する水蒸気発生組成物からなる水蒸気発生部を有する透湿性シートが開示されている。
【０００７】
しかしながら、前記透湿性シートは、皮膚に対する保湿効果を発揮するものであって、ツボに熱刺激を効率よく与えることができず、お灸としては不向きである。
【０００８】
従って、利便性に優れ、ツボに熱刺激を効率よく与えることができるお灸の開発が切望されている。
【先行技術文献】
【特許文献】
【０００９】
【特許文献１】特許第３０４９７０７号
【特許文献２】特許第３５６５１５１号
【発明の概要】
【発明が解決しようとする課題】
【００１０】
本発明は、ツボに対して熱刺激を効率よく与えることができ、且つ、使用者が安心して使用できる温灸具、該温灸具を含む温灸キット及び温灸器を提供することを主な目的とする。
【課題を解決するための手段】
【００１１】
本発明者は、鋭意研究を重ねた結果、特定の構成を採用する温灸具が上記目的を達成できることを見出し、本発明を完成するに至った。
【００１２】
即ち、本発明は、下記の温灸具に関する。
１．  水蒸気を身体に放出することにより、身体に局部的な熱刺激を与える温灸具であって、空気と接触することにより発熱と共に水蒸気を発生させる水蒸気発生組成物を扁平状袋内に封入してなるものであり、面積が２．０〜３０．０ｃｍ２である温灸具。
２．  前記水蒸気発生組成物が封入された領域の面積が１．５〜１５．０ｃｍ２である上記項１に記載の温灸具。
３．  ５０〜７０℃の水蒸気を発生させる上記項１又は２に記載の温灸具。
４．  前記扁平状袋が、水蒸気を身体に放出する側に、JIS K7129-1992のA法に準拠して測定された水蒸気透過度が１０００〜３０００ｇ／ｍ2・ｄａｙの透湿性シートが設けられたものである上記項１〜３のいずれかに記載の温灸具。
５．  前記透湿性シートが、５〜２０μｍの開口径を有する上記項４に記載の温灸具。
６．  前記透湿性シートの水蒸気を身体に放出する側に、透湿性接着層を有する上記項４又は５に記載の温灸具。
７．  １）上記項４〜６のいずれかに記載の温灸具と、２）該温灸具と身体との間に介在させて使用するための支持具とを備えた温灸キットであって、
該支持具が、水蒸気を身体に供給するための空洞部と、空気を前記透湿性シートに供給するための通気路とを有する温灸キット。
８．  前記空洞部の厚み方向の高さが０．１〜１ｃｍであり、前記空洞部の水蒸気の供給方向に直交する断面の面積が０．５〜３ｃｍ２である上記項７に記載の温灸キット。
９．  上記項４〜６のいずれかに記載の温灸具が、水蒸気を身体に供給するための空洞部と、空気を前記透湿性シートに供給するための通気路とを有する支持具上に積層されてなる温灸器。
【００１３】
＜温灸具＞
本発明の温灸具は、水蒸気を身体に放出することにより、身体に局部的な熱刺激を与える温灸具であって、空気と接触することにより発熱と共に水蒸気を発生させる水蒸気発生組成物を扁平状袋内に封入してなるものであり、面積が２．０〜３０．０ｃｍ２程度、好ましくは３．０〜１６．０ｃｍ２程度である。
【００１４】
本発明の温灸具は、扁平形状で、且つ、面積が２．０〜３０．０ｃｍ２程度の大きさであるため、熱刺激をツボに効率よく与えることができる。
【００１５】
本発明の温灸具は、内部の水蒸気発生組成物（鉄粉）と空気中の酸素とが反応することにより発熱し（例えば５０〜７０℃程度に発熱し）、５０〜７０℃程度の水蒸気を発生させる。前記水蒸気は皮膚に放出され、該水蒸気による熱刺激を皮膚（ツボ）に与える。身体に放出される（皮膚に触れる）水蒸気の温度は、４３〜５０℃程度が好ましく、４８〜５０℃程度がより好ましい。
【００１６】
前記温灸具の形状としては、例えば、円形、楕円形、矩形等が挙げられるが、使用者がツボの中心を狙いやすいという点で特に、円形が好ましい。
【００１７】
本発明の温灸具の好ましい態様としては、前記大きさの透湿性シートと透湿性の低いシート（以下、「非透湿性シート」と略記する）とを積層してなるものであって、該透湿性シートと該非透湿性シートとの間に前記水蒸気発生組成物が封入されたものが挙げられる。前記透湿性シートは、前記温灸具の身体に水蒸気を放出する側に設けられ、前記非透湿性シートは、身体に水蒸気を放出する側の反対側に設けられる。本発明の温灸具は、通常、図１に示すように、前記水蒸気発生組成物が封入された領域（水蒸気発生部）と、それ以外の領域（平面部）とからなる。
【００１８】
≪透湿性シート≫
透湿性シートとしては、水蒸気を好適に放出できるシートであればよいが、特に、JIS K7129-1992のA法に準拠して測定された水蒸気透過度が１０００〜３０００ｇ／ｍ2・ｄａｙ程度のシートが好ましく、前記水蒸気透過度が１５００〜３０００ｇ／ｍ2・ｄａｙ程度のシートがより好ましい。特に、前記水蒸気透過度が１５００〜３０００ｇ／ｍ2・ｄａｙ程度である場合、身体に４３〜５０℃程度の水蒸気を好適に放出することができ、ツボへの効果的な熱刺激が可能になる。
【００１９】
前記透湿性シートの厚みは、通常、０．０５〜０．５０ｍｍ程度、好ましくは０．１５〜０．２０ｍｍ程度である。
【００２０】
前記透湿性シートの開口径は、５〜２０μｍ程度が好ましい。
【００２１】
前記透湿性シートの作製方法としては、例えば、不織布で該不織布よりも繊維径が小さい繊維を挟み込んでエンボス加工を施しながら熱圧着する方法（いわゆるスパンボンド法）が挙げられる。
【００２２】
前記不織布としては、例えば、ポリプロピレン、ポリエチレン等のポリオレフィン系繊維；ポリエチレンテレフタラート（ＰＥＴ）、ポリプロピレンテレフタレート、ポリブチレンテレフタレート等のポリエステル系繊維；ナイロン等のポリアミド系繊維等の不織布が挙げられる。これらは一種単独で又は二種以上を組み合わせて使用できる。この中でも特に、ＰＥＴが好ましい。
【００２３】
前記繊維としては、例えば、前記不織布を構成する繊維を一種単独で又は二種以上を組み合わせて使用できる。特に、前記繊維としては、前記不織布を構成する繊維と同じもの又は該繊維と融点が近いものを用いることが望ましい。本発明では、前記不織布としてＰＥＴの不織布を用い、且つ、前記繊維としてＰＥＴを用いて前記透湿性シートを作製することが好ましい。
【００２４】
前記不織布中における前記繊維の含有割合は、前記樹脂成分１００重量部に対し、１０〜７０重量部程度が好ましく、２０〜５０重量部程度がより好ましい。
【００２５】
熱圧着する際の温度は、前記樹脂の種類に応じて適宜設定すればよい。例えば、前記樹脂としてＰＥＴを用いる場合、ＰＥＴの軟化点程度であればよい。熱圧着する際の圧力は、通常１００〜２００ｋｇ／ｃｍ２程度である。
【００２６】
≪非透湿性シート≫
非透湿性シートは、前記透湿性シートから水蒸気が好適に放出されるように、水蒸気が外部に放出しにくい構造を有する。
【００２７】
前記非透湿性シートのJIS P 8117-1998に準拠して測定された透気抵抗度は、３〜１０（sec／100cc）程度が好ましく、５〜７（sec／100cc）程度がより好ましい。前記透気抵抗度が３（sec／100cc）未満の場合、水蒸気発生部で発生した水蒸気が空気中（皮膚と反対側）に放出されやすくなる。前記透気抵抗度が１０（sec／100cc）程度を超える場合、空気を効率よく導入できない。
【００２８】
例えば、カイロの包材として一般的に使用されている繊維シートを用いることができる。前記繊維シートとしては、天然繊維もしくは合成繊維の不織布又は織布を使用できる。前記天然繊維としては、例えば、綿、麻絹、毛等などの植物繊維、動物繊維、鉱物繊維が挙げられる。合成繊維としては、例えば、ポリアミド、ポリウレタン、ポリエチレン、ポリプロピレン、ポリエステル、ポリ塩化ビニル、ビニロン、レーヨン、アクリル等が挙げられる。
【００２９】
特に、前記非透湿性シートとしては、ナイロンの不織布及び熱可塑性合成樹脂フィルムからなる積層体が好ましい。
【００３０】
前記積層体は、ある程度の通気性を有することが好ましい。前記非透湿性シートを通じて空気を前記水蒸気発生組成物に導入することにより、より効率よく発熱させ水蒸気を発生させることができる。
【００３１】
前記積層体の前記透気抵抗度は、例えば、カッター、針、レーザー、放電加工等により微細な孔を前記積層体に穿設するか、微多孔膜を貼る等して前記範囲内に調整できる。
【００３２】
前記不織布の目付は、２０〜５０ｇ／ｍ２程度が好ましい。
【００３３】
前記熱可塑性合成樹脂は、前記透湿性シートと、前記非透湿性シートとを熱溶着させるためのシーラント層として存在する。可塑性合成樹脂は限定しないが、例えば、ＬＤＰＥ（低密度ポリエチレン）、ＬＬＤＰＥ（直鎖状低密度ポリエチレン）、ＨＤＰＥ（高密度ポリエチレン）、またはメタロセン系触媒ＰＥ等の各種ポリエチレン、ポリプロピレン等のポリオレフィン系、ＥＶＡ及びエチレン、プロピレン、ブテン等の各種共重合ポリプロピレン等のポリオレフィン共重合系、ポリアミド系、ポリエステル系などのフィルムが用いられ、柔軟性、加工性、価格などの点からポリエチレンまたはその共重合系オレフィンフィルムが好ましい。また、２〜３層のフィルムを組み合わせたものであってもよい。
【００３４】
≪水蒸気発生部≫
前記水蒸気発生部には、発熱に伴って水蒸気を発生させる水蒸気発生組成物が充填されている。前記組成物が発生させた水蒸気によってツボに熱刺激を与えることができる。前記水蒸気発生部における前記組成物の充填率は、水蒸気を十分に発生させることができる範囲内であればよく特に限定されないが、通常３０〜９０％程度であり、好ましくは５０〜８０％程度である。
【００３５】
前記充填率は、下記式により算出できる。
【００３６】
Ａ÷Ｂ×１００
（式中、Ａは、実際に封入させる前記水蒸気発生組成物の重量（ｇ）を示す。Ｂは、前記区画に前記組成物を前記水蒸気発生部に最大限入れたときの該組成物の重量（ｇ）を示す。）
前記水蒸気発生部の面積は、本発明の温灸具の大きさに応じて適宜設定すればよいが、１．５〜１５ｃｍ２程度が好ましく、３〜１０ｃｍ２程度がより好ましい。特に、前記水蒸気発生部の面積が３〜１０ｃｍ２程度の場合、ツボに熱刺激をより効果的に与える。
【００３７】
≪水蒸気発生組成物≫
前記水蒸気発生組成物は、空気と接触して発熱することにより水蒸気を発生させる組成物である。特に、本発明では、前記組成物として、鉄粉、活性炭、金属塩及び水を含む組成物を使用することが好ましい。
【００３８】
前記組成物中における鉄粉、活性炭、金属塩及び水の合計質量は、８０〜１００質量％程度が好ましい。
【００３９】
以下、鉄粉、活性炭、金属塩及び水を含む組成物を代表例として、前記水蒸気発生組成物について具体的に説明する。
【００４０】
鉄粉
鉄粉が空気中の酸素と反応して発熱することにより、本発明の温灸具は水蒸気を発生させることができる。
【００４１】
前記鉄粉としては、還元鉄、鋳鉄等が挙げられる。これらは一種単独で又は二種以上を組み合わせて使用できる。
【００４２】
前記鉄粉の形状としては、粒状、繊維状等が挙げられる。これらの形状の鉄粉を単独で使用してもよく、二種以上を併用してもよい。
【００４３】
粒状の鉄粉の粒径は、通常１０〜３００μｍ程度、好ましくは１０〜１００μｍ程度である。
【００４４】
なお、本明細書に記載の粒径は、測定対象となる試料（鉄粉等）１００ｇを、７００μm、６５０μm、５００μm、４００μm、３００μm、２５０μm、１００μm、５０μm、１０μmの篩を上から順に設けた電動振動篩機にかけ、１５分間振動させた後、各篩に残った量及び通過した量を測定することにより算出できる。
【００４５】
前記組成物中における前記鉄粉の含有量は、３０〜８０質量％程度が好ましく、４５〜６５質量％程度がより好ましい。
【００４６】
活性炭
活性炭は、表面の微孔に空気を取り込んで酸素の供給を促したり、熱を保って放熱温度がばらつかないように保温することができる。活性炭は内部構造が非常に多孔性であり、そのため特に良好な水保持能を与える。さらに、活性炭は水を良く吸収するのみならず、前記組成物の熱の発生により蒸発される水蒸気も吸収し、水蒸気の逃げの防止を助ける。従って、活性炭は水保持物質としても役立つことができる。さらに、活性炭は鉄粉の酸化により生ずる臭いも吸収することができる。
【００４７】
前記活性炭としては、例えば、ココナツの殻、木材、木炭、石炭、骨炭等から調製された活性炭を好適に使用できる。
【００４８】
前記活性炭のヨウ素吸着度は、５００〜２０００ｍｇ／ｇ程度、好ましくは８００〜１５００ｍｇ／ｇ程度である。前記ヨウ素吸着度は、例えば、日本シルク学会誌第１６巻２．３．２「ヨウ素吸着量の測定」に記載の方法に従って測定できる。
【００４９】
前記組成物中における前記活性炭の含有量は、前記水蒸気発生組成物が５０〜７０℃程度に発熱できるよう適宜設定すればよい。
【００５０】
金属塩
金属塩は、例えば、空気との酸化反応を容易にするために、鉄粉の表面を活性化させて、鉄の酸化反応を促進させることができる。
【００５１】
前記金属塩としては、公知の発熱組成物に使用されている金属塩を使用すればよい。前記金属塩としては、例えば、硫酸第二鉄、硫酸カリウム、硫酸ナトリウム、硫酸マンガン、硫酸マグネシウム等の硫酸塩；塩化第二銅、塩化カリウム、塩化ナトリウム、塩化カルシウム、塩化マンガン、塩化マグネシウム、塩化第一銅等の塩化物等が挙げられる。また、炭酸塩、酢酸塩、硝酸塩及び他の塩も使用することができる。これら金属塩については、一種単独で又は二種以上を組み合わせて使用できる。この中でも特に塩化ナトリウムが好ましい。
【００５２】
前記金属塩の粒径は、特に限定されず、本発明の効果を阻害しない範囲で適宜設定すればよい。
【００５３】
前記組成物中における前記金属塩の含有量は、特に限定されず、鉄の酸化反応が好適に進行する範囲内で適宜設定すればよい。
【００５４】
水
水としては、例えば、蒸留水、水道水等を使用できる。
【００５５】
前記組成物中における前記水の含有量は、特に限定されず、本発明の効果を阻害しない範囲で適宜設定すればよい。
【００５６】
その他の添加物
前記組成物は、前記鉄粉、活性炭、金属塩及び水以外にも、必要に応じて、公知の添加剤を含有してもよい。
【００５７】
公知の添加剤としては、例えば、吸水性樹脂、保水剤等が挙げられる。吸水性樹脂を含有させることにより、前記組成物をさらさらの状態に保ち続けやすくなる。前記吸水性樹脂としては、例えば、イソブチレン−無水マレイン酸共重合体、ポリビニルアルコール−アクリル酸共重合体、デンプン−アクリル酸塩グラフト共重合体、ポリアクリル酸塩架橋物、アクリル酸塩−アクリル酸エステル共重合体、アクリル酸塩−アクリルアミド共重合体、ポリアクリルニトリル架橋物等が挙げられる。これらの吸水性樹脂は、一種単独で又は二種以上を組み合わせて使用できる。
【００５８】
前記吸水性樹脂の粒径は、通常５０〜８００μｍ程度、好ましくは２５０〜４００μｍ程度である。
【００５９】
前記組成物中における前記吸水性樹脂の含有量は、特に限定されず、前記組成物の組成等に応じて適宜調整すればよい。
【００６０】
保水剤として、紙、木粉、パーライト、バーミキュライト、等が挙げられる。特に、保水剤としては、バーミキュライトが好ましい。
【００６１】
前記保水剤の粒径は、通常３００μｍ程度以下、好ましくは２５０μｍ程度以下である。
【００６２】
前記組成物中における前記保水剤の含有量は限定的ではなく、本発明の効果を阻害しない範囲で適宜設定すればよい。
【００６３】
各成分の混合
前記各成分を混合することにより、前記組成物を調製することができる。混合は、必要に応じて、真空下又は不活性ガス雰囲気下で行ってもよい。例えば、特許第３６００６８９号公報、米国特許第4,649,895号等に記載された方法に従って混合すればよい。
【００６４】
≪温灸具の製造≫
前記温灸具は、例えば、前記水蒸気発生組成物を封入させつつ、前記透湿性シートと前記非透湿性シートとを接着させることにより得られる。前記非透湿性シートとして前記積層体を用いる場合、前記積層体を構成するナイロンの不織布が外側（封入される水蒸気発生組成物と接触する面と反対側）になるように、前記透湿性シート及び前記非透湿性シート同士を接着させる。このとき、前記水蒸気発生組成物を含む水蒸気発生部が形成されるように、前記水蒸気発生組成物が封入されていない領域の前記透湿性シート及び前記非透湿性シート同士を接着させる（前記平面部を形成させる）。
【００６５】
接着方法としては、特に限定されず、例えば、上記樹脂成分を用いて接着させる方法や熱圧着により接着させる方法を採用できる。
【００６６】
前記透湿性シートの水蒸気を身体に放出する側（封入される水蒸気発生組成物と接触する面と反対側）には、透湿性接着層を形成し、該接着層上に剥離紙を積層させることが好ましい。
【００６７】
前記透湿性接着層としては、前記透湿性シートの水蒸気透湿度を確保でき、且つ、前記剥離紙及び後述する支持具を好適に貼着できる層が好ましい。例えば、前記透湿性シート（不織布）の透湿性が失われないように、接着剤を該シート上にまばらに塗布して形成された層が好ましい。前記接着剤としては、例えば、スチレン−イソプレン−スチレン（ＳＩＳ）系のホットメルト接着剤を好適に使用できる。前記接着剤は、網目状に塗布されることが好ましい。
【００６８】
前記剥離紙は、前記温灸具の使用直前まで前記接着層に貼着させておき、使用時に剥離する。前記剥離紙としては、例えば、ポリエチレンフィルムが挙げられる。
【００６９】
＜温灸キット＞
本発明の温灸キットは、１）前記温灸具と、２）該温灸具と身体との間に介在させて使用するための支持具とを備え、該支持具は、水蒸気を身体に供給するための空洞部と、空気を前記透湿性シートに供給するための通気路とを有する。
【００７０】
前記支持具は、図３に示すように、前記温灸具を積載し一体化させて、該支持具側を身体に接触させて用いられる。これにより、皮膚への強烈な熱刺激を緩和し、使用者がより安心して肩こり、腰痛、神経痛等の治療を行うことができる。
【００７１】
前記支持具の空洞部の大きさによって、身体に接触する水蒸気の温度及び水蒸気量が決定される。特に、前記空洞部の厚み方向の高さは０．１〜１ｃｍ程度が好ましく、０．３〜０．６ｃｍ程度がより好ましい。また、前記空洞部の水蒸気の供給方向に直交する断面の面積は、０．５〜３ｃｍ２程度が好ましく、０．７〜１．０ｃｍ２程度がより好ましい。特に、前記高さを０．３〜０．６ｃｍ程度とし、且つ、前記面積を０．７〜１．０ｃｍ２程度とすることにより、発生直後の温度が５０〜７０℃ある水蒸気を、４３〜５０℃程度、好ましくは４８〜５０℃程度に下げて身体に好適に接触させることができる。
【００７２】
前記通気路は、前記水蒸気発生組成物が発熱に必要な空気を外気から供給するための空気口である。具体的に、空気は、前記通気路、前記透湿性シートを順に通過して前記水蒸気発生組成物へと供給される。
【００７３】
前記通気路の数、大きさ、形状等については、本発明の効果を妨げない範囲で適宜設定すればよい。例えば図２及び３に示すように、空洞部５に４つの通気路６が連結した態様が挙げられる。
【００７４】
前記支持具は、公知のエラストマーと公知の粘着剤とを混合して成形したものが好ましい。支持具として前記成形体を用いることにより、身体の動きに対応して前記成形体が変形して好適な密着感が得られ、患部（接触部位）からずれにくい。従って、本発明の温灸キットは、患部（ツボ）に熱刺激を長時間安定して与えることができる。
【００７５】
特に、図２及び３に示す支持具４（４つの通気路６を有する支持具）は、前記成形が容易である。
【００７６】
前記成形体の硬度は、例えば市販のデュロメーターを用いて測定した場合、３０度程度以下が好ましく、２０〜２５度程度がより好ましい。
【００７７】
前記エラストマーとしては、例えば、スチレン系エラストマー、シリコン系エラストマー、ポリエチレン系エラストマー、ウレタン系エラストマー、塩化ビニル系エラストマー等が挙げられる。これらは一種単独で又は二種以上を組み合わせて使用できる。この中でも特にスチレン系エラストマーが好ましい。前記スチレン系エラストマーとしては、例えば、スチレンーブタジエン共重合体ゴム（ＳＢＲ）等が挙げられる。
【００７８】
前記粘着剤としては、例えば、ゴム系粘着剤、アクリル系粘着剤、シリコーン系粘着剤、ウレタン系粘着剤、松ヤニ等が挙げられる。これらは一種単独で又は二種以上を組み合わせて使用できる。
【００７９】
前記粘着剤の使用量は、前記エラストマー１００重量部に対し、５０重量部未満が好ましく、３０〜４０重量部程度がより好ましい。前記粘着剤の使用量が前記エラストマー１００重量部に対し、５０重量部を超える場合、前記支持具の成形が困難になる。
【００８０】
前記成形体には、必要に応じて、公知の添加剤をさらに含有させてもよい。公知の添加剤としては、例えば、有機又は無機フィラー、酸化防止剤、有機又は無機系顔料、紫外線防止剤等が挙げられる。
【００８１】
成形方法は、特に限定されず、例えば射出成形機を用いて成形する方法が挙げられる。
【００８２】
前記温灸キットの使用態様
本発明の温灸具は空気下で発熱するため、空気と接触しないように、通常、前記温灸具を空気を通過させない包装体に入れ密封した状態で流通させる。
【００８３】
本発明の温灸具は、身体に直接接触させて使用してもよいし、下記支持具を介在させて使用してもよい。
【００８４】
本発明の温灸キットは、前記温灸具の剥離紙を剥離して、前記接着層と前記支持具とを接着させた温灸器として使用できる。前記温灸器は、支持具側を身体と接触させて用いられる。
【００８５】
前記温灸器を身体に張り巡らされた経路上のツボに載せて熱刺激を与えることにより、肩こり、腰痛、神経痛等の治療を行うことができる。
【発明の効果】
【００８６】
本発明の温灸具は、ツボに対して熱刺激を効率よく与えることができる。特に、本発明の温灸具は、身体へ放出される水蒸気の温度が４３〜５０℃程度であるため、使用者が安心して使用でき、且つ、心地よい使用感を与える。また、本発明の温灸具は、従来のもぐさ温灸器と異なり、火を使わないため、衣服を着た状態で使用することができる。
【００８７】
本発明の温灸キットは、前記温灸具と身体との間に介在させて使用する支持具を備えている。この支持具を前記温灸具と組み合わせた温灸器を身体に設置することにより、４３〜５０℃程度、特に、４８〜５０℃程度の水蒸気を身体に好適に放出でき、ツボへの熱刺激をより効率よく実行できる。
【図面の簡単な説明】
【００８８】
【図１】図１は、本発明の温灸具を示す図である。
【図２】図２は、本発明の温灸キットの支持具を示す図である。
【図３】図３は、本発明の温灸キットの使用態様を示しており、温灸具に支持具を貼着させたものである。
【図４】図４は、実施例３で作製した温灸器を用いた場合の試験例１での測定結果を示す図である。
【図５】図５は、比較例１のお灸を用いた場合の試験例１での測定結果を示す図である。
【発明を実施するための形態】
【００８９】
以下に実施例及び比較例を示し、本発明をより具体的に説明する。但し、本発明は実施例に限定されない。
【００９０】
実施例１（温灸具）
＜水蒸気発生組成物＞
鉄粉、活性炭、食塩、水、バーミキュライト及びポリアクリル酸ナトリウムを混合することにより水蒸気発生組成物を調製した。前記組成物中、前記鉄粉、活性炭、塩化ナトリウム、水、バーミキュライト及びポリアクリル酸ナトリウムの含有量は、それぞれ５０質量％、１３質量％、４質量％、２５質量％、４質量％及び４質量％であった。
【００９１】
以上の方法により、水蒸気発生組成物を調製した。
【００９２】
＜透湿性シート＞
ＰＥＴの不織布で該不織布よりも繊維径の小さいＰＥＴ繊維を挟み込んで、ＰＥＴの軟化点温度で圧力１００ｋｇ／ｃｍ２をかけながらエンボス加工を施すことにより、開口径１０〜２０μｍ、厚み０．１７ｍｍの透湿性シートを用意した。
【００９３】
前記透湿性シートのJIS K7129-1992のA法に準拠して測定された水蒸気透過度は２５００ｇ／ｍ2・ｄａｙであった。
さらに、前記透湿性シートの片面に、透湿性シートの透湿性が失われないように、ＳＩＳ系ホットメルト接着剤をまばらに塗布し、その上にポリエチレンフィルムを貼着した。
【００９４】
得られた積層シートを、直径３．８cmの円形に切り抜いて、面積が１１．３ｃｍ２の円形の透湿性シートを有する積層シートを作製した。
【００９５】
＜非透湿性シートの作製＞
厚さ１５μｍのナイロンの不織布に、エチレン酢酸ビニル樹脂を塗布して厚さ１５μｍの接着層を形成し、該接着層上に厚さ２０μｍのポリエチレンフィルムを積層し、最後に、該ポリエチレンフィルム上に、メタロセン触媒により重合したポリエチレン樹脂（Ｌ−ＬＤＰＥ）フィルム（厚さ２０μｍ）を積層した。
【００９６】
得られた積層体に、幅０．２ｍｍの刃を用いて、一定間隔で均一に穿孔を設けすることに非透湿性シートを得た。
【００９７】
得られた非透湿性シートはJIS P 8117-1998に準拠して測定された透気抵抗度で６（sec／100cc）であった。
【００９８】
前記非透湿性シートを、直径３．８cmの円形に切り抜いて、面積が１１．３ｃｍ２の円形の非透湿性シートを作製した。
【００９９】
＜温灸具の作製＞
前記透湿性シートを有する積層シートと前記非透湿性シートとを、該積層シートの透湿性シート側及び該非透湿性シートのＬ−ＬＤＰＥフィルム側が前記水蒸気発生組成物と接するように、前記組成物を内包させ、前記組成物を内包する水蒸気発生部の面積が４．９ｃｍ２となるように、該積層シート及び該非透湿性シートの該水蒸気発生部以外の領域を接着させた。接着は前記積層シートと前記非透湿性シートとを１４０℃で熱圧着熱させることにより行った。
【０１００】
実施例２（温灸キット）
＜支持具＞
ＳＢＲ（エラストマー）とゴム系粘着剤とを混合（ＳＲＢ１００重量部に対し、ゴム系粘着剤を４０重量部混合）し、得られた混合物を射出成型器（株式会社名機製作所製）を用いて射出成形することにより、図２に示す支持具（空洞部５と４つの通気路６とを有する支持具）を作製した。得られた支持具の空洞部の厚み方向の高さは０．４ｃｍであり、水蒸気の供給方向に直交する断面の面積は０．８ｃｍ２であった。
【０１０１】
＜温灸具＞
温灸具としては、実施例１で作製した温灸具を用いた。
【０１０２】
実施例３（温灸器）
実施例２の温灸キットの温灸具のポリエチレンフィルム（剥離紙）を剥がし、その温灸具を該キットの支持具上に設置することにより温灸器を完成させた。
【０１０３】
比較例１
厚紙（半径１０ｍｍ、厚み３ｍｍ）上に、０．１ｇのもぐさを載せて、従来のお灸を再現した。なお、厚紙の裏面（もぐさと反対面）には、粘着剤を塗布した。
【０１０４】
比較例２
皮膚と接触させる面の水蒸気透過度がほぼゼロであり、且つ、火を使わない市販のお灸（発熱温度：約４２℃、直径約３５ｍｍ）を用意した。
【０１０５】
試験例１（肌面の温度）
肩こりの激しい被験者１０名（Ａ〜Ｊ）を対象にして、実施例３で作製した温灸器の支持具側を肩のツボ上に設置し、設置部（肌面）の温度を測定した。前記測定は、温度センサーを支持具の空洞部内の皮膚に直接接触させて行われた。
【０１０６】
また、比較例１及び２のお灸についても同様の試験を行った。この場合、比較例１及び２のお灸を前記と同じ位置（肩のツボ）に設置し、比較例１のお灸については、前記と同じ位置（肩のツボ）に設置後、もぐさに火を付けて試験を行った。比較例２のお灸については、設置する前に該お灸が発熱するように剥離紙を剥離して設置した。このとき、皮膚と比較例１〜２のお灸との間に温度センサーを挿入させて、肌面の温度を測定した。
【０１０７】
実施例３及び比較例１のお灸を装着した場合の肌面の温度の測定結果を図４（実施例３）及び図５（比較例１）に示す。図４〜図５に示す測定結果は、被験者Ａ〜Ｊの肌面温度の平均値を示したものである。
なお、比較例２のお灸を装着した場合、皮膚面に水蒸気がほとんど放出されないため、肌面の温度を十分に向上させることができなかった（１０分間測定した場合に、肌面の温度は４３℃未満であった。）。
【０１０８】
試験例２（使用感）
肩こりの激しい被験者１０名（Ａ〜Ｊ）を対象にして、実施例３で作製した温灸器及び比較例１〜２のお灸の使用感を評価した。
【０１０９】
結果を表１に示す。
【０１１０】
【表１】
2010207380.tif 000003
【０１１１】
試験例３（治療効果）
試験例１の試験を１５分間続けた後、被験者の肩こりが緩和されたか否かを評価した。
○：肩こりが和らいだと感じた人が７〜１０名の場合
△：肩こりが和らいだと感じた人が５〜６名の場合
×：肩こりが和らいだと感じた人が４名以下の場合
結果を表２に示す。
【０１１２】
【表２】
2010207380.tif 000004
【符号の説明】
【０１１３】
１・・・温灸具
２・・・水蒸気発生部
３・・・平面部
４・・・支持具
５・・・空洞部
６・・・通気路
【図１】
2010207380.tif 000005
【図２】
2010207380.tif 000006
【図３】
2010207380.tif 000007
【図４】
2010207380.tif 000008
【図５】
2010207380.tif 000009